(57)【要約】【課題】  単一の光源によって直接照明と間接照明とを実現できるＬＥＤランプを提供する。【解決手段】  所定の照射範囲に向けて照明をするＬＥＤランプであって、所定の照射範囲と略対向した主面１ａと、当該主面１ａの背面側に所定のテーパを以て形成されて所定の照射範囲から視認不能なテーパ面１ｂとを有する立体状の絶縁性基材１に、絶縁性基材１の主面１ａに設けられた直接照明用ＬＥＤ４ａと、テーパ面１ｂに設けられたテーパ面１ｂと、絶縁性基材１に形成されて直接照明用ＬＥＤ４ａおよび間接照明用ＬＥＤ４ｂに給電をする回路パターン５を設け、反射鏡３によって、間接照明用ＬＥＤ４ｂから出射されたＬＥＤ光が入射されて、所定の照射範囲に向けて反射する。このＬＥＤランプは、直接照明用ＬＥＤ４ａと間接照明用ＬＥＤ４ｂとが選択的に駆動して、直接照明及び間接照明を実現する。【選択図】      図１
2008091238.tif 000002
【特許請求の範囲】
【請求項１】
所定の照射範囲に向けて照明をするＬＥＤランプであって、
前記所定の照射範囲と略対向した主面と、当該主面の背面側に所定のテーパを以て形成されて前記所定の照射範囲から視認不能なテーパ面とを有する立体状の絶縁性基材と、
前記絶縁性基材の主面に設けられた第１ＬＥＤ群と、
前記テーパ面に設けられた第２ＬＥＤ群と、
前記第２ＬＥＤ群から出射されたＬＥＤ光が入射されて、前記所定の照射範囲に向けて反射する反射板と、
前記絶縁性基材に形成されて前記第１ＬＥＤ群および前記第２ＬＥＤ群に給電をする回路パターンとを備え、
前記第１ＬＥＤ群と前記第２ＬＥＤ群とが選択的に駆動されることを特徴とするＬＥＤランプ。
【請求項２】
前記第１ＬＥＤ群は白色光を出射する複数のＬＥＤからなり、前記第２ＬＥＤ群は暖色光を出射する複数のＬＥＤからなることを特徴とする請求項１に記載のＬＥＤランプ。
【発明の詳細な説明】
【技術分野】
【０００１】
本発明は、発光ダイオード（Light Emitted Diode；以下、ＬＥＤという。）を立体的な絶縁性基材に実装したＬＥＤランプに関する。
【背景技術】
【０００２】
従来より、長寿命のＬＥＤを光源として使用したＬＥＤランプが知られている（特許文献１参照）。このＬＥＤランプは、図３に示すように、筒状部材の上面に設けられたＬＥＤ１０１と、筒状部材の側面に設けられたＬＥＤ１０２と、ＬＥＤ１０２から出射された光を反射する反射鏡１０３とを備えている。このようなＬＥＤランプは、ＬＥＤ１０１及びＬＥＤ１０２を同時に駆動させている。
【０００３】
また、このＬＥＤランプによれば、複数のＬＥＤ１０２を椀状の反射鏡１０３内の縮径端部側（ランプ根本側）に配設する一方、点灯回路基板１０４をＬＥＤ１０２よりも投光端側へ配設しているので、反射鏡１０３の縮径端部側面をＬＥＤ１０２からの光の反射に有効に利用することができ、ＬＥＤ１０１とＬＥＤ１０２とを同時に点灯させた時の効率を高めることができるとしている。
【特許文献１】特開平９−２６５８０７号公報
【発明の開示】
【発明が解決しようとする課題】
【０００４】
しかしながら、上述したＬＥＤランプでは、ＬＥＤ１０１と同じ出射範囲における直接光の効率を高くするために反射鏡１０３とＬＥＤ１０２との位置関係を工夫した構成であるために、直接照明と間接照明を単一の光源にて切り換えて実現することは想定されていない。
【０００５】
また、特許文献１に記載されたＬＥＤランプの構成によって直接照明と間接照明とを実現しようとした場合、図３及び特許文献１の図２等より、筒状部材の側面に設けられたＬＥＤ１０２の側面から直接的に光が出射されてしまうために、間接照明を実現できない問題がある。
【０００６】
そこで、本発明は、上述した実情に鑑みて提案されたものであり、単一の光源によって直接照明と間接照明とを実現できるＬＥＤランプを提供することを目的とする。
【課題を解決するための手段】
【０００７】
本発明は、所定の照射範囲に向けて照明をするＬＥＤランプであって、上述の課題を解決するために、所定の照射範囲と略対向した主面と、当該主面の背面側に所定のテーパを以て形成されて所定の照射範囲から視認不能なテーパ面とを有する立体状の絶縁性基材に、絶縁性基材の主面に設けられた第１ＬＥＤ群と、テーパ面に設けられた第２ＬＥＤ群と、絶縁性基材に形成されて第１ＬＥＤ群および第２ＬＥＤ群に給電をする回路パターンを設け、反射板によって、第２ＬＥＤ群から出射されたＬＥＤ光が入射されて、所定の照射範囲に向けて反射する。このようなＬＥＤランプは、第１ＬＥＤ群と第２ＬＥＤ群とを選択的に駆動して、直接照明及び間接照明を単一の光源で実現する。
【発明の効果】
【０００８】
本発明によれば、絶縁性基材の主面に設けた第１ＬＥＤ群とテーパ面に設けた第２ＬＥＤ群とを備え、テーパ面を所定の照射範囲から視認不能としたので、間接照明光が所定の照射範囲から直接的に視認されることがない。このようなＬＥＤランプによれば、直接照明時には第１ＬＥＤ群のみを点灯させ、間接照明時には第２ＬＥＤ群のみを点灯させることによって、直接照明と間接照明とを単一の光源で実現できる。
【発明を実施するための最良の形態】
【０００９】
以下、本発明の実施の形態について図面を参照して説明する。
【００１０】
本発明は、例えば図１に示すように構成されたＬＥＤランプに適用される。
【００１１】
このＬＥＤランプは、ランプ前面の所定の照射範囲に向けて照明をするＬＥＤランプであり、直接照明と間接照明との双方を単一の光源で実現するものである。具体的には、図１に示すように、ＬＥＤランプは、所定の照射範囲と略対向した主面１ａと、当該主面１ａの背面側に所定のテーパを以て形成されて所定の照射範囲から視認不能なテーパ面１ｂと、支持部１ｃを有する立体状の絶縁性基材１の支持部１ｃが回路基板２に接続されている。この支持部１ｃには、光を反射する反射材料が形成された反射鏡３が接続されている。
【００１２】
絶縁性基材１は、ポリイミド、ＡＢＳ、ポリエーテルイミド、液晶ポリマー、アルミナセラミックス等の電気絶縁材料によって形成したものを用いることができる。また、絶縁性基材１の形成法としては、射出成形、プレス成形などで所望の立体形状とされる。
【００１３】
ＬＥＤランプは、更に、絶縁性基材１の主面１ａに設けられた直接照明用ＬＥＤ４ａ（第１ＬＥＤ群）と、テーパ面１ｂに設けられた間接照明用ＬＥＤ４ｂ（第２ＬＥＤ群）とを備える。テーパ面１ｂは、当該テーパ面１ｂに設けられた間接照明用ＬＥＤ４ｂが所定の照射範囲から視認不能となるように主面１ａに対する角度となっている。
【００１４】
間接照明用ＬＥＤ４ｂから出射された光（以下、間接照明光と呼ぶ。）反射鏡３に入射されて、所定の照射範囲に向けて反射される。直接照明用ＬＥＤ４ａは、所定の照射範囲に直接的に光（以下、直接照明光と呼ぶ。）を出射する。テーパ面１ｂに間接照明用ＬＥＤ４ｂが設けられることにより、間接照明用ＬＥＤ４ｂから出射された間接照明光は、所定の照射範囲から直接的に視認不能となっており、反射鏡３ｄで反射した間接照明光のみが所定の照射範囲に向かう。
【００１５】
回路基板２には、直接照明用ＬＥＤ４ａ及び間接照明用ＬＥＤ４ｂの駆動回路が設けられている。回路基板２と直接照明用ＬＥＤ４ａ及び間接照明用ＬＥＤ４ｂとは、絶縁性基材１上に形成された回路パターン５で電気的に接続されている。この回路パターン５によって、直接照明用ＬＥＤ４ａ及び間接照明用ＬＥＤ４ｂの給電が行われる。この回路パターン５は、絶縁性基材１の表面にめっき用触媒、めっき用触媒の化合物、金属膜などのようなめっき下地層を形成し、絶縁性基材１の回路部と非回路部の境界領域にレーザ等の電磁波を照射してめっき下地層を除去した後、残っているめっき下地層のうち回路パターン５となるめっき下地層部分にめっきを施して作成される。
【００１６】
回路基板２に設けられた駆動回路は、直接照明用ＬＥＤ４ａと間接照明用ＬＥＤ４ｂとを選択的に駆動させる。このようなＬＥＤランプは、所定の照射範囲（前方）に向けて直接照明光を出射する場合には、直接照明用ＬＥＤ４ａのみを点灯させ、所定の照射範囲（前方）向けて間接照明光を出射する場合には間接照明用ＬＥＤ４ｂのみを点灯させる。
【００１７】
また、このＬＥＤランプにおいて、図２に示すように、直接照明用ＬＥＤ４ａは白色光を出射する複数のＬＥＤからなるものとし、間接照明用ＬＥＤ４ｂは暖色光を出射する複数のＬＥＤからなるものとしても良い。例えば間接照明用ＬＥＤ４ｂは黄色光を出射するものが使用可能である。
【００１８】
例えば、ＬＥＤランプを車両に設けた場合において、直接照明用ＬＥＤ４ａを白色光を出射する前照灯として使用し、間接照明用ＬＥＤ４ｂを黄色光を出射するフォグランプとして使用できる。これにより、車両へのランプ搭載における省スペース化、デザイン性の向上を図ることができる。
【００１９】
また、ＬＥＤランプを家庭用とした場合において、通常使用時には直接照明用ＬＥＤ４ａのみを点灯させることとし、火災、防犯等の緊急事態を報知する時には間接照明用ＬＥＤ４ｂのみを点灯させることができる。この場合、間接照明用ＬＥＤ４ｂは赤色光を出射するＬＥＤからなるものとすることが望ましい。これにより、家庭において警報ランプを別個に設ける必要がないので、デザイン性の向上を図ることができる。
【００２０】
以上詳細に説明したように、本発明を適用したＬＥＤランプによれば、主面１ａに設けた直接照明用ＬＥＤ４ａとテーパ面１ｂに設けた間接照明用ＬＥＤ４ｂとを備え、テーパ面１ｂを所定の照射範囲から視認不能としたので、間接照明光が所定の照射範囲から直接的に視認されることがない。これにより、ＬＥＤランプによれば、直接照明時には直接照明用ＬＥＤ４ａのみを点灯させ、間接照明時には間接照明用ＬＥＤ４ｂのみを点灯させることによって、直接照明と間接照明とを単一の光源で実現できる。また、単一のＬＥＤランプで直接照明と間接照明とを切り換えることにより、直接照明ランプと間接照明ランプといったように用途によって複数のランプを設ける必要が無くなる。
【００２１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００２２】
【図１】本発明を適用したＬＥＤランプの断面図である。
【図２】本発明を適用したＬＥＤランプにおいて、直接照明用ＬＥＤと間接照明用ＬＥＤとの相違の説明図である。
【図３】従来のＬＥＤランプの断面図である。
【符号の説明】
【００２３】
１  絶縁性基材
１ａ  主面
１ｂ  テーパ面
１ｃ  支持部
２  回路基板
３  反射鏡
４ａ  直接照明用ＬＥＤ
４ｂ  間接照明用ＬＥＤ
５  回路パターン
【図１】
2008091238.tif 000003
【図２】
2008091238.tif 000004
【図３】
2008091238.tif 000005